(57)【要約】【課題】パケット交換システムを利用した通話を、回線交換システムを利用した通話に切り換えた場合でも、通話を継続することができる無線通信端末を提供する。【解決手段】着信側において、パケット交換システムによる通話から回線交換システムによる通話への切換通知を受信した際に、電波状態判断部４が、自端末について、回線交換システムの圏内でないと判断し、あるいは回線交換システムの圏内であるが回線交換システムが発信規制を行っていると判断した場合は、制御部３が、当該通話に対応する呼び出しをパケット交換システムを介して送信するように制御する。発信側において、切換通知を送信した後、回線交換システムから当該通話に対応する呼び出しを当該通話の相手側に行っている際に、当該通話をパケット交換システムで行う旨のメッセージを相手側から受信すると、パケット交換システムを介して当該通話を再開するように制御する。【選択図】図１
2008211596.tif 000002
【特許請求の範囲】
【請求項１】
第１無線通信システムおよび第２無線通信システムが利用可能な無線通信端末において、
前記第１無線通信システムを利用して通話している状態であって、該通話を行う無線通信システムを第１無線通信システムから第２無線通信システムに切り換える切換通知を受信する受信手段と、
前記第２無線通信システムの通信エリアの圏内か否かを判断する判断手段と、
前記受信手段により切換通知を受信した際、前記判断手段が前記第２無線通信システムの圏内でないと判断した場合、当該通話に対応する呼び出しを前記第１無線通信システムを介して送信するように制御する制御手段と、
を備える無線通信端末。
【請求項２】
前記制御手段は、前記受信手段により切換通知を受信した際、前記第１無線通信システムによるセッションを終了して、前記第２無線通信システムにより当該通話の切り換えに対応する呼び出しに応答できるように制御することを特徴とする請求項１に記載の無線通信端末。
【請求項３】
前記制御手段は、前記判断手段が前記第２無線通信システムの圏内でないと判断した場合、前記第１無線通信システムの呼制御サーバに対して登録処理をするように制御することを特徴とする請求項１または２に記載の無線通信端末。
【請求項４】
第１無線通信システムおよび第２無線通信システムが利用可能な無線通信端末において、
前記第１無線通信システムを利用して通話している状態であって、該通話を行う無線通信システムを第１無線通信システムから第２無線通信システムに切り換える切換通知を受信する受信手段と、
前記第２無線通信システムが発信規制を行っているか否かを判断する判断手段と、
前記受信手段により切換通知を受信した際、前記判断手段により前記第２無線通信システムが発信規制を行っていると判断した場合、当該通話に対応する呼び出しを前記第１無線通信システムを介して送信するように制御する制御手段と、
を備える無線通信端末。
【請求項５】
前記制御手段は、前記受信手段により切換通知を受信した際、前記第１無線通信システムによるセッションを終了して、前記第２無線通信システムにより当該通話の切り換えに対応する呼び出しに応答できるように制御することを特徴とする請求項４に記載の無線通信端末。
【請求項６】
前記制御手段は、前記判断手段が前記第２無線通信システムの圏内でないと判断した場合、前記第１無線通信システムの呼制御サーバに対して登録処理をするように制御することを特徴とする請求項４または５に記載の無線通信端末。
【請求項７】
第１無線通信システムおよび第２無線通信システムが利用可能な無線通信端末において、
前記第１無線通信システムを利用して通話している状態であって、該通話を行う無線通信システムを第１無線通信システムから第２無線通信システムに切り換える切換通知を前記第１無線通信システムを介して送信する送信手段と、
前記送信手段により切換通知を送信した後、前記第２無線通信システムから当該通話に対応する呼び出しを当該通話の相手側に対して行っている際に、当該通話を第１無線通信システムで行う旨のメッセージを前記相手側から受信すると、前記第２無線通信システムを介した当該通話に対応する前記相手側への呼び出しを中止して、前記第１無線通信システムを介して当該通話を再開するように制御する制御手段と、
を備える無線通信端末。
【請求項８】
前記制御手段は、前記送信手段により前記第１無線通信システムを介して切換通知を送信した後、前記第１無線通信システムによるセッションを終了するように制御することを特徴とする請求項７に記載の無線通信端末。
【請求項９】
前記制御手段は、前記第２無線通信システムを介した当該通話に対応する前記相手側への呼び出しを中止し、前記第１無線通信システムの呼制御サーバに対して登録処理し、前記第１無線通信システムを介して当該通話に対応する呼び出しを受信し、該受信した呼び出しに応答して当該通話を再開するように制御することを特徴とする請求項７または８に記載の無線通信端末。
【発明の詳細な説明】
【技術分野】
【０００１】
本発明は、複数の通信システムを備えた無線通信端末に関する。
【背景技術】
【０００２】
近年、携帯電話等の無線通信端末には、それぞれの規格に応じた複数の方式が存在しており、例えば、日本の携帯電話方式では、ＴＤＭＡ方式、ＣＤＭＡ方式が普及している。
【０００３】
通常、無線通信端末は、何れか１つの規格に対応するように構成されているが、例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システムで通信を行うマルチバンド／マルチモード化も行われている。
【０００４】
このようなマルチバンド／マルチモードに対応する無線通信端末として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した無線通信端末が知られている（例えば、特許文献１参照）。
【０００５】
また、最近では、回線交換方式のｃｄｍａ２０００  １ｘシステムとパケット交換方式のｃｄｍａ２０００  １ｘＥＶ−ＤＯシステムの２つの通信システムを備えたマルチバンド／マルチモード対応の無線通信端末も考えられている。回線交換方式とパケット交換方式の２つの通信システムを備えた無線通信端末では、音声通話を回線交換方式の通信システム（以下、回線交換システムという）で行い、データ通信をパケット交換方式の通信システム（以下、パケット交換システムという）で行うなど、その目的に応じて有効なシステムの切り換えを行っている。この無線通信端末を使ってテレビ電話（ＩＰＶＴ）を行う際、データ通信であるテレビ電話（ＩＰＶＴ）は、パケット交換システムを用いて実施されるが、パケット交換システムでは、ＩＰリンク未確立時の着信監視は行わないため、テレビ電話（ＩＰＶＴ）の着信には、回線交換システムを使ったＳＭＳ（Ｓｈｏｒｔ  Ｍｅｓｓａｇｅ  Ｓｅｒｖｉｃｅ）が利用されている。
【特許文献１】特開２００４−１５１６２号公報
【発明の開示】
【発明が解決しようとする課題】
【０００６】
上述した２つの通信システムを備えた無線通信端末では、パケット交換システムを利用した通話を、回線交換システムに切り換えて継続して当該通話を行う場合、着信側が、切り換え先対象の回線交換システムの圏外の場合、または回線交換システムの圏内ではあるがそのシステムが発信規制をしている場合、発信側（相手側）から回線交換システムを介して送信される（当該通話の切り換えに対応する）呼び出しを受信することができない。または呼び出しを受信しても応答できないため、回線交換システムを利用した通話を始めることができない。そのため、当該通話が継続せずに終了してしまうという問題がある。
【０００７】
また、発信側が、切り換え先対象の回線交換システムの圏外の場合、または回線交換システムの圏内ではあるがそのシステムが発信規制をしている場合、着信側（相手側）に対して回線交換システムを介して（当該通話の切り換えに対応する）呼び出しをすることがきでないため、回線交換システムを利用した通話を始めることができない。そのため、当該通話が継続せずに終了してしまうという問題がある。
【０００８】
本発明は、このような問題点に鑑みてなされたものであり、本発明の目的は、第１無線通信システム（例えばパケット交換システム）を利用した通話を、第２無線通信システム（例えば回線交換システム）を利用した通話に切り換え処理した場合に、発信側または着信側において第２無線通信システムが利用できなくても、当該通話を継続することができるとともに、通話を切り換えることができないと判定されてから、第１無線通信システムを利用した通話に再開（復帰）するまでの時間を短くすることができる無線通信端末を提供することにある。
【課題を解決するための手段】
【０００９】
上記目的を達成するため、本発明は、第１無線通信システムおよび第２無線通信システムが利用可能な無線通信端末において、前記第１無線通信システムを利用して通話している状態であって、該通話を行う無線通信システムを第１無線通信システムから第２無線通信システムに切り換える切換通知を受信する受信手段と、前記第２無線通信システムの通信エリアの圏内か否かを判断する判断手段と、前記受信手段により切換通知を受信した際、前記判断手段が前記第２無線通信システムの圏内でないと判断した場合、当該通話に対応する呼び出しを前記第１無線通信システムを介して送信するように制御する制御手段とを備えることを特徴とする。
【００１０】
また、本発明は、第１無線通信システムおよび第２無線通信システムが利用可能な無線通信端末において、前記第１無線通信システムを利用して通話している状態であって、該通話を行う無線通信システムを第１無線通信システムから第２無線通信システムに切り換える切換通知を受信する受信手段と、前記第２無線通信システムが発信規制を行っているか否かを判断する判断手段と、前記受信手段により切換通知を受信した際、前記判断手段により前記第２無線通信システムが発信規制を行っていると判断した場合、当該通話に対応する呼び出しを前記第１無線通信システムを介して送信するように制御する制御手段とを備えることを特徴とする。
【００１１】
また、本発明は、第１無線通信システムおよび第２無線通信システムが利用可能な無線通信端末において、前記第１無線通信システムを利用して通話している状態であって、該通話を行う無線通信システムを第１無線通信システムから第２無線通信システムに切り換える切換通知を前記第１無線通信システムを介して送信する送信手段と、前記送信手段により切換通知を送信した後、前記第２無線通信システムから当該通話に対応する呼び出しを当該通話の相手側に対して行っている際に、当該通話を第１無線通信システムで行う旨のメッセージを前記相手側から受信すると、前記第２無線通信システムを介した当該通話に対応する前記相手側への呼び出しを中止して、前記第１無線通信システムを介して当該通話を再開するように制御する制御手段とを備えることを特徴とする。
【発明の効果】
【００１２】
本発明は、第１無線通信システムを利用した通話を、第２無線通信システムを利用した通話に切り換え処理した後、発信側または着信側において第２無線通信システムが利用できない場合でも、当該通話を継続することができるとともに、通話を切り換えることができないと判定されてから、第１無線通信システムを利用した通話に再開（復帰）するまでの時間を短くすることができる。
【発明を実施するための最良の形態】
【００１３】
本発明の実施の形態について図面を参照して説明する。図１は、本発明の無線通信端末としての携帯電話端末の概略構成を示す機能ブロック図である。本実施の形態の無線通信端末は、８００ＭＨｚ帯および２ＧＨｚ帯によるｃｄｍａ２０００  １ｘＥＶ−ＤＯシステム（パケット交換システム：第１無線通信システム）と、８００ＭＨｚ帯および２ＧＨｚ帯によるｃｄｍａ２０００  １ｘシステム（回線交換システム：第２無線通信システム）とを有するとともに、１．５ＧＨｚ帯のＧＰＳ周波数の受信機能を有するものである。図１に示す携帯電話端末は、送受信部１と、受信部２と、制御部（制御手段）３と、電波状態判断部（判断手段）４と、タイマ５と、表示部１０と、入力部１１と、マイク１２と、スピーカ１３を備えている。電波状態判断部（判断手段）４は、無線通信システムの通信エリアの圏内か否か、または無線通信システムが発信規制を行っているか否かを判断する。送受信部１は、８００ＭＨｚ帯および２ＧＨｚ帯での送受信が可能となっており、受信部２は、送受信部１と独立して８００ＭＨｚ帯、２ＧＨｚ帯および１．５ＧＨｚ帯での受信が可能となっている。
【００１４】
次に、本発明の第１の実施の形態について説明する。第１の実施の形態は、着信側において、パケット交換システムを利用して通話している状態であって、通話を行う無線通信システムをパケット交換システムから回線交換システムに切り換える切換通知を受信した際に、電波状態判断部４が、自端末について、回線交換システムの圏内であると判断した場合、あるいは回線交換システムの圏内であってさらに回線交換システムが発信規制を行っていないと判断した場合は、制御部３が、当該通話に対応する回線交換システムからの呼び出しに応答できるように制御し、電波状態判断部４が、自端末について、回線交換システムの圏内でないと判断した場合、あるいは回線交換システムの圏内であるが回線交換システムが発信規制を行っていると判断した場合は、制御部３が、当該通話に対応するパケット交換システムからの呼び出しに応答できるように制御するものである。
【００１５】
制御部３は、回線交換システムからの呼び出しに応答できるように、待ち受け状態でなかったなら、待ち受け状態になるように状態遷移をする。そして、呼び出しに自動的に応答するように、呼び出しを受けると先の通話相手を、例えば電話番号で確認して、一致していると自動応答する。また、制御部３は、パケット交換システムからの呼び出しに応答できるように、呼制御サーバ（ＳＩＰサーバ）に対して登録処理をし、呼び出し（ＩＮＶＩＴＥ）に自動的に応答するように、呼び出し（ＩＮＶＩＴＥ）を受けると先の通話相手であることを、例えば、電話番号、ＩＰアドレス、ニックネームなど）で確認し、確認ができたならば自動応答する。
【００１６】
図２は、第１の実施の形態に係る着信側の無線通信端末の動作を説明するフローチャートである。無線通信端末は、テレビ電話（ＩＰＶＴ：ＩＰ  Ｖｉｄｅｏ  Ｔｅｌｅｐｈｏｎｙ）による通話中に、送受信部１または受信部２により、通話相手から、パケット交換システムを用いたテレビ電話（ＩＰＶＴ）による通話から回線交換システムを用いた音声電話による通話への切換通知（ＩＮＦＯ）を受信すると、テレビ電話（ＩＰＶＴ）の終了処理を実施し（ステップ１００）、タイマ５を起動する（ステップ１０１）。次に、パケット交換システムをＤｏｒｍａｎｔ（無線回線のみを解放した接続状態）として、待ち受け状態に移行する（ステップ１０２）。次に、回線交換システムの電波状態を確認する。すなわち、待ち受け状態において、電波状態判断部４は、８００ＭＨｚ帯および２ＧＨｚ帯の両チャネルについて、自端末が、回線交換システムの圏内であるか、圏外であるかを確認し、あるいは回線交換システムの圏内である場合は、回線交換システムが発信規制を行っているか否かを確認する（ステップ１０３）。
【００１７】
次に、制御部３は、パケット交換システムによる通話から回線交換システムによる通話への切り換えが可能か否かを判定する（ステップ１０４）。制御部３は、電波状態判断部４が、自端末について、回線交換システムの圏外であると判断し、あるいは回線交換システムの圏内であるが回線交換システムが発信規制を行っていると判断した場合は、切り換えが可能でないと判定して、パケット交換システムの接続を開始し（ステップ１０８）、パケット交換システムの呼制御サーバ（ＳＩＰサーバ）に対して登録処理を行う（ステップ１０９）。次に、テレビ電話（ＩＰＶＴ）の着信待ち状態で待機し（ステップ１１０）、発信側からのテレビ電話（ＩＰＶＴ）の着信があったならば応答して（ステップ１１１）、テレビ電話（ＩＰＶＴ）の通話状態に復帰する（ステップ１１２）。
【００１８】
ステップ１０４において、回線交換システムへの切り換えが可能であると判定した場合は、タイマ５が所定時間を経過したか否かを判定し（ステップ１０５）、所定時間を経過していない場合は、音声通話の着信があったか否かを判定する（ステップ１０６）。音声通話の着信があれば音声通話へ移行する（ステップ１０７）。音声通話へ移行する場合、システム変更に伴って、通話は維持されるが、テレビ電話のアプリケーションから音声電話のアプリケーションに変更される。ステップ１０６において、音声通話の着信がなければ、ステップ１０５に戻り、再び、タイマ５が所定時間を経過したか否かを判定する。通話相手側または回線交換システム側の問題等により、例えば、通話相手が回線交換システムの圏外にあるため、タイマ５が所定時間を経過しても音声通話の着信がない場合は、音声通話への切り換えを中断し、ステップ１０８〜１１１を実施してテレビ電話（ＩＰＶＴ）の通話状態に復帰する（ステップ１１２）。
【００１９】
図３は、無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。図３は、着信側の無線通信端末が回線交換システムの圏外に移動したときの動作について説明している。無線通信端末は、テレビ電話（ＩＰＶＴ）による通話中に、通話相手から回線交換システムを用いた音声電話による通話への切換通知（ＩＮＦＯ）を受信すると、ＩＰＶＴ電話の終了処理（ＢＹＥ）を実施する（ＳＩＰサーバへの登録解除処理をする）。次に、タイマ５を起動するとともに、パケット交換システムによるセッションを終了（Ｓｅｓｓｉｏｎ  Ｃｌｏｓｅ、Ｃｏｎｎｅｃｔｉｏｎ  Ｃｌｏｓｅ）して、再待ち受け処理を実施する。待ち受け中に電波状態判断部４が、圏外を検出した場合は、タイマ５を停止し、音声通話の着信待ちを中断し、パケット交換システムで呼設定を行った後、ＩＰＶＴ電話サーバ（ＳＩＰサーバ）に対して登録処理を実施して、テレビ電話（ＩＰＶＴ）の着信待ちの状態になる。呼び出し（ＩＮＶＩＴＥ）を受けると先の通話相手であることを、例えば、電話番号、ＩＰアドレス、ニックネームなどで確認し、確認ができたならば自動応答して、テレビ電話（ＩＰＶＴ）に復帰する。
【００２０】
次に、本発明の第２の実施の形態について説明する。第２の実施の形態は、発信側において、パケット交換システムを利用して通話している状態であって、通話を行う無線通信システムをパケット交換システムから回線交換システムに切り換える切換通知を送信した際に、電波状態判断部４が、自端末について、回線交換システムの圏内であると判断した場合、あるいは回線交換システムの圏内であってさらに回線交換システムが発信規制を行っていないと判断した場合は、制御部３が、当該通話に対応する呼び出しを回線交換システムから送信し、電波状態判断部４が、自端末について、回線交換システムの圏内でないと判断した場合、あるいは回線交換システムの圏内であるが回線交換システムが発信規制を行っていると判断した場合は、制御部３が、当該通話に対応する呼び出しをパケット交換システムから送信するように制御するものである。
【００２１】
図４は、第２の実施の形態に係る発信側の無線通信端末の動作を説明するフローチャートである。無線通信端末は、テレビ電話（ＩＰＶＴ）による通話中に、送受信部１により、通話相手に、パケット交換システムを用いたテレビ電話（ＩＰＶＴ）による通話から回線交換システムを用いた音声電話による通話への切換通知（ＩＮＦＯ）を送信すると、テレビ電話（ＩＰＶＴ）の終了処理を実施し（ステップ２００）、タイマ５を起動する（ステップ２０１）。次に、パケット交換システムをＤｏｒｍａｎｔ（無線回線のみを解放した接続状態）として、待ち受け状態に移行する（ステップ２０２）。次に、回線交換システムの電波状態を確認する。すなわち、待ち受け状態において、電波状態判断部４は、８００ＭＨｚ帯および２ＧＨｚ帯の両チャネルについて、自端末が、回線交換システムの圏内であるか、圏外であるかを確認し、あるいは回線交換システムの圏内である場合は、回線交換システムが発信規制を行っているか否かを確認する（ステップ２０３）。
【００２２】
次に、制御部３は、パケット交換システムによる通話から回線交換システムによる通話への切り換えが可能か否かを判定する（ステップ２０４）。制御部３は、電波状態判断部４が、自端末について、回線交換システムの圏外であると判断し、あるいは回線交換システムの圏内であるが、回線交換システムが発信規制を行っていると判断した場合は、切り換えが可能でないと判定して、音声通話の発信処理を終了し（ステップ２０９）、パケット交換システムの接続を開始する（ステップ２１０）。さらに、パケット交換システムの呼制御サーバ（ＳＩＰサーバ）に対して登録処理を実施し、発信処理を実施する（ステップ２１１）。次に、テレビ電話（ＩＰＶＴ）の着信応答待ち状態で待機し（ステップ２１２）、テレビ電話（ＩＰＶＴ）の応答があったならば通話に移行して（ステップ２１３）、テレビ電話（ＩＰＶＴ）の通話状態に復帰する（ステップ２１４）。
【００２３】
ステップ２０４において、回線交換システムへの切り換えが可能であると判定した場合は、タイマ５が所定時間を経過したか否かを判定する（ステップ２０５）。所定時間を経過していない場合は、音声通話の発信処理を実施し（ステップ２０６）、通話相手から応答があったか否かを判定する（ステップ２０７）。応答があれば音声通話へ移行する（ステップ２０８）。音声通話へ移行する場合、システム変更に伴って、通話は維持されるが、テレビ電話のアプリケーションから音声電話のアプリケーションに変更される。ステップ２０７において、音声通話の応答がなければ、ステップ２０５に戻り、再び、タイマ５が所定時間を経過したか否かを判定する。通話相手側または回線交換システム側の問題等により、例えば、通話相手が回線交換システムの圏外にあるため、タイマ５が所定時間を経過しても音声通話の応答がない場合は、ステップ２０９〜２１３を実施してテレビ電話（ＩＰＶＴ）の通話状態に復帰する（ステップ２１４）。
【００２４】
図５は、無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。図５は、発信側の無線通信端末が回線交換システムの圏外に移動したときの動作について説明している。無線通信端末は、テレビ電話（ＩＰＶＴ）による通話中に、通話相手に回線交換システムを用いた音声電話による通話への切換通知（ＩＮＦＯ）を送信すると、ＩＰＶＴ電話の終了処理（ＢＹＥ）を実施する（ＳＩＰサーバへの登録解除処理をする）。次に、タイマ５を起動し、パケット交換システムによるセッションを終了（Ｓｅｓｓｉｏｎ  Ｃｌｏｓｅ、Ｃｏｎｎｅｃｔｉｏｎ  Ｃｌｏｓｅ）して、再待ち受け処理を実施する。待ち受け状態で電波状態判断部４が、圏外を検出した場合は、タイマ５を停止するとともに、音声通話の発信処理（未発信も含む）を終了し、パケット交換システムへの呼設定を行った後、ＩＰＶＴ電話サーバ（ＳＩＰサーバ）に対して登録処理を行い、先の通話相手の呼び出し（ＩＮＶＩＴＥ）を行って、テレビ電話（ＩＰＶＴ）の応答待ちの状態になる。通話相手から応答があったならば通話に移行してテレビ電話（ＩＰＶＴ）に復帰する。
【００２５】
次に、本発明の第３の実施の形態について説明する。第１の実施の形態では、着信側の無線通信端末が回線交換システムの圏内でない場合、あるいは回線交換システムの圏内であるが回線交換システムが発信規制を行っている場合、着信側の無線通信端末は、パケット交換システムの呼制御サーバ（ＳＩＰサーバ）に対して登録処理を行って、テレビ電話（ＩＰＶＴ）の着信待ち状態で待機するが、発信側の無線通信端末のタイマが終了するまでテレビ電話（ＩＰＶＴ）に復帰できないことがある。第３の実施の形態は、この課題を解決するものであり、着信側において、パケット交換システムを利用して通話している状態であって、通話を行う無線通信システムをパケット交換システムから回線交換システムに切り換える切換通知を受信した際に、電波状態判断部４が、自端末について、回線交換システムの圏内でないと判断した場合、あるいは回線交換システムの圏内であるが回線交換システムが発信規制を行っていると判断した場合は、制御部３が、当該通話に対応する呼び出しをパケット交換システムを介して送信するように制御するものである。
【００２６】
図６は、第３の実施の形態に係る着信側の無線通信端末の動作を説明するフローチャートである。無線通信端末は、テレビ電話（ＩＰＶＴ）による通話中に、送受信部１または受信部２により、通話相手から、パケット交換システムを用いたテレビ電話（ＩＰＶＴ）による通話から回線交換システムを用いた音声電話による通話への切換通知（ＩＮＦＯ）を受信すると、テレビ電話（ＩＰＶＴ）の終了処理を実施し（ステップ３００）、タイマ５を起動する（ステップ３０１）。次に、パケット交換システムをＤｏｒｍａｎｔ（無線回線のみを解放した接続状態）として、待ち受け状態に移行する（ステップ３０２）。次に、回線交換システムの電波状態を確認する。すなわち、待ち受け状態において、電波状態判断部４は、８００ＭＨｚ帯および２ＧＨｚ帯の両チャネルについて、自端末が、回線交換システムの圏内であるか、圏外であるかを確認し、あるいは回線交換システムの圏内である場合は、回線交換システムが発信規制を行っているか否かを確認する（ステップ３０３）。
【００２７】
次に、制御部３は、パケット交換システムによる通話から回線交換システムによる通話への切り換えが可能か否かを判定する（ステップ３０４）。制御部３は、電波状態判断部４が、自端末について、回線交換システムの圏外であると判断し、あるいは回線交換システムの圏内であるが回線交換システムが発信規制を行っていると判断した場合は、切り換えが可能でないと判定して、パケット交換システムの接続を開始し（ステップ３０８）、パケット交換システムの呼制御サーバ（ＳＩＰサーバ）に対して登録処理を実施して、発信処理を実施する（ステップ３０９）。次に、テレビ電話（ＩＰＶＴ）の着信応答待ち状態で待機し（ステップ３１０）、通話相手側からテレビ電話（ＩＰＶＴ）の応答があったならば通話に移行して（ステップ３１１）、テレビ電話（ＩＰＶＴ）の通話状態に復帰する（ステップ３１２）。
【００２８】
ステップ３０４において、回線交換システムへの切り換えが可能であると判定した場合は、タイマ５が所定時間を経過したか否かを判定し（ステップ３０５）、所定時間を経過していない場合は、音声通話の着信があったか否かを判定する（ステップ３０６）。音声通話の着信があれば音声通話へ移行する（ステップ３０７）。音声通話へ移行する場合、システム変更に伴って、通話は維持されるが、テレビ電話のアプリケーションから音声電話のアプリケーションに変更される。
【００２９】
ステップ３０６において、音声通話の着信がなければ、ステップ３０５に戻り、再び、タイマ５が所定時間を経過したか否かを判定する。通話相手側または回線交換システム側の問題等により、例えば、通話相手が回線交換システムの圏外にあるため、タイマ５が所定時間を経過しても音声通話の着信がない場合は、パケット交換システムの接続を開始し（ステップ３１３）、パケット交換システムの呼制御サーバ（ＳＩＰサーバ）に対して登録処理を行う（ステップ３１４）。次に、テレビ電話（ＩＰＶＴ）の着信待ち状態で待機し（ステップ３１５）、発信側からのテレビ電話（ＩＰＶＴ）の着信があったならば応答して（ステップ３１６）、テレビ電話（ＩＰＶＴ）の通話状態に復帰する（ステップ３１７）。
【００３０】
図７は、無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。図７は、着信側の無線通信端末が回線交換システムの圏外に移動したときの動作について説明している。無線通信端末は、テレビ電話（ＩＰＶＴ）による通話中に、通話相手から回線交換システムを用いた音声電話による通話への切換通知（ＩＮＦＯ）を受信すると、ＩＰＶＴ電話の終了処理（ＢＹＥ）を実施する（ＳＩＰサーバへの登録解除処理をする）。次に、タイマ５を起動するとともに、パケット交換システムによるセッションを終了（Ｓｅｓｓｉｏｎ  Ｃｌｏｓｅ、Ｃｏｎｎｅｃｔｉｏｎ  Ｃｌｏｓｅ）して、再待ち受け処理を実施する。待ち受け中に電波状態判断部４が、圏外を検出した場合は、タイマ５を停止し、音声通話の着信待ちを中断し、パケット交換システムで呼設定を行った後、ＩＰＶＴ電話サーバ（ＳＩＰサーバ）に対して登録処理を実施して、テレビ電話（ＩＰＶＴ）による発信処理（ＩＮＶＩＴＥ）を開始する。テレビ電話（ＩＰＶＴ）の着信応答待ちの状態になり、通話相手側からテレビ電話（ＩＰＶＴ）の応答があったならば通話へ移行して、テレビ電話（ＩＰＶＴ）に復帰する。
【００３１】
次に、本発明の第４の実施の形態について説明する。第２の実施の形態では、発信側の無線通信端末が回線交換システムの圏内でない場合、あるいは回線交換システムの圏内であるが回線交換システムが発信規制を行っている場合、発信側の無線通信端末は、パケット交換システムの呼制御サーバ（ＳＩＰサーバ）に対して登録処理を行って、発信処理を行い、テレビ電話（ＩＰＶＴ）の応答待ち状態で待機するが、着信側の無線通信端末のタイマが終了するまでテレビ電話（ＩＰＶＴ）に復帰できないことがある。第４の実施の形態は、この課題を解決するものであり、発信側において、パケット交換システムを利用して通話している状態であって、通話を行う無線通信システムをパケット交換システムから回線交換システムに切り換える切換通知を送信した後、回線交換システムから当該通話に対応する呼び出しを当該通話の相手側に対して行っている際に、当該通話をパケット交換システムで行う旨のメッセージを相手側から受信すると、制御部３が、回線交換システムを介した当該通話に対応する相手側への呼び出しを中止して、パケット交換システムを介して当該通話を再開するように制御するものである。
【００３２】
図８は、第４の実施の形態に係る発信側の無線通信端末の動作を説明するフローチャートである。無線通信端末は、テレビ電話（ＩＰＶＴ）による通話中に、送受信部１により、通話相手に、パケット交換システムを用いたテレビ電話（ＩＰＶＴ）による通話から回線交換システムを用いた音声電話による通話への切換通知（ＩＮＦＯ）を送信すると、テレビ電話（ＩＰＶＴ）の終了処理を実施し（ステップ４００）、タイマ５を起動する（ステップ４０１）。次に、パケット交換システムをＤｏｒｍａｎｔ（無線回線のみを解放した接続状態）として、待ち受け状態に移行する（ステップ４０２）。次に、回線交換システムの電波状態を確認する。すなわち、待ち受け状態において、電波状態判断部４は、８００ＭＨｚ帯および２ＧＨｚ帯の両チャネルについて、自端末が、回線交換システムの圏内であるか、圏外であるかを確認し、あるいは回線交換システムの圏内である場合は、回線交換システムが発信規制を行っているか否かを確認する（ステップ４０３）。
【００３３】
次に、制御部３は、パケット交換システムによる通話から回線交換システムによる通話への切り換えが可能か否かを判定する（ステップ４０４）。制御部３は、電波状態判断部４が、自端末について、回線交換システムの圏外であると判断し、あるいは回線交換システムの圏内であるが回線交換システムが発信規制を行っていると判断した場合は、切り換えが可能でないと判定して、音声通話の発信処理を終了し（ステップ４１０）、パケット交換システムの接続を開始する（ステップ４１１）。さらに、パケット交換システムの呼制御サーバ（ＳＩＰサーバ）に対して登録処理を実施し、発信処理を実施する（ステップ４１２）。次に、テレビ電話（ＩＰＶＴ）の着信応答待ち状態で待機し（ステップ４１３）、テレビ電話（ＩＰＶＴ）の応答があったならば通話に移行して（ステップ４１４）、テレビ電話（ＩＰＶＴ）の通話状態に復帰する（ステップ４１５）。
【００３４】
ステップ４０４において、回線交換システムへの切り換えが可能であると判定した場合は、タイマ５が所定時間を経過したか否かを判定する（ステップ４０５）。所定時間を経過していない場合は、音声通話の発信処理を実施する（ステップ４０６）。次に、テレビ電話（ＩＰＶＴ）の着信（ショートメッセージサービス（ＳＭＳ）によるメッセージで回線交換システムを介して通知される）があるか否かを判定し（ステップ４０７）、着信（ＳＭＳメッセージ）があれば、ステップ４１０〜４１４を実施してテレビ電話（ＩＰＶＴ）の通話状態に復帰する（ステップ４１５）。着信（ＳＭＳメッセージ）がなければ、通話相手から音声通話の応答があったか否かを判定する（ステップ４０８）。応答があれば音声通話へ移行する（ステップ４０９）。音声通話へ移行する場合、システム変更に伴って、通話は維持されるが、テレビ電話のアプリケーションから音声電話のアプリケーションに変更される。ステップ４０８において、音声通話の応答がなければ、ステップ４０５に戻り、再び、タイマ５が所定時間を経過したか否かを判定する。通話相手側または回線交換システム側の問題等により、例えば、通話相手が回線交換システムの圏外にあるため、タイマ５が所定時間を経過しても音声通話の応答がない場合は、ステップ４１０〜４１４を実施してテレビ電話（ＩＰＶＴ）の通話状態に復帰する（ステップ４１５）。なお、ＳＭＳメッセージを受信してパケット交換システムによる通話に復帰する場合、ステップ４１２の発信を行わずに相手側から送信されるＩＮＶＩＴＥに応答することで復帰することもできる。
【００３５】
図９は、無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。図９は、発信側の無線通信端末が回線交換システムの圏内にあるときの動作について説明している。無線通信端末は、テレビ電話（ＩＰＶＴ）による通話中に、通話相手に回線交換システムを用いた音声電話による通話への切換通知（ＩＮＦＯ）を送信すると、ＩＰＶＴ電話の終了処理（ＢＹＥ）を実施する（ＳＩＰサーバへの登録解除処理をする）。次に、タイマ５を起動し、パケット交換システムによるセッションを終了（Ｓｅｓｓｉｏｎ  Ｃｌｏｓｅ、Ｃｏｎｎｅｃｔｉｏｎ  Ｃｌｏｓｅ）して、再待ち受け処理を実施する。ここで、音声電話の着信応答待ち状態において、ＩＰＶＴ電話サーバからテレビ電話（ＩＰＶＴ）の呼び出し（ＤａｔａＢｕｒｓｔ  Ｍｅｓｓａｇｅ（ＳＭＳ：ＩＰＶＴ））を受けとると、タイマ５を停止するとともに、音声通話の発信を終了し、パケット交換システムで呼設定を行った後、ＩＰＶＴ電話サーバ（ＳＩＰサーバ）に対して登録処理を行う。先の通話相手から着信（ＩＮＶＩＴＥ）を受けとると、応答してテレビ電話（ＩＰＶＴ）に復帰する。
【００３６】
図１０は、無線通信端末の表示部の画面遷移を示す図である。（ａ）はテレビ電話（ＩＰＶＴ）で通話しているときの表示部１０の画面を示している。ここでユーザによる音声通話への切り換え指示、または通話相手から音声通話への切り換え指示があると、（ｂ）に示すように、画面に「Ｃｈａｎｇｉｎｇ．．．ＴＶ電→音声」の文字が表示される。切り換えに成功したならば、（ｃ）に示すように、画面に「通話中」の文字を表示して音声通話が開始される。（ｂ）の状態において、自端末が回線交換システムの圏外にある場合、あるいは回線交換システムの圏内であるが回線交換システムが発信規制を行っている場合等により音声通話への切り換えに失敗した場合は、（ｄ）に示すように、画面に「Ｃｈａｎｇｉｎｇ．．．→ＴＶ電」および「現在の電波環境では音声電話はご利用頂けませんでした。ＴＶ電話に復帰します。」の文字を表示し、（ａ）の画面に戻って、テレビ電話（ＩＰＶＴ）に復帰する。（ｂ）の状態において、相手端末が回線交換システムの圏外にある場合、あるいは回線交換システムの圏内であるが回線交換システムが発信規制を行っている場合等により音声通話への切り換えに失敗した場合は、（ｅ）に示すように、画面に「Ｃｈａｎｇｉｎｇ．．．→ＴＶ電」および「ご相手の電波環境が悪いようです。音声電話はご利用頂けませんでした。ＴＶ電話に復帰します。」の文字を表示し、（ａ）の画面に戻って、テレビ電話（ＩＰＶＴ）に復帰する。
【００３７】
なお、上述した実施の形態では、パケット交換システムを用いたテレビ電話（ＩＰＶＴ）による通話から回線交換システムを用いた音声電話による通話への切換通知にＩＮＦＯメッセージを用いたが、図１１に示すように、テレビ電話（ＩＰＶＴ）の切断通知であるＢＹＥメッセージの中に切換識別子を追加して、ＢＹＥメッセージで切換通知を行っても良い。
【００３８】
本発明の第３および第４の実施の形態では、着信側において、パケット交換システムによる通話から回線交換システムによる通話への切換通知を受信した際に、回線交換システムの電波状態により音声電話による通話への切り換えができないと判断した場合は、当該通話に対応する呼び出しをパケット交換システムを介して送信するように制御し、発信側において、前記切換通知を送信した後、回線交換システムを介して、当該通話の呼び出しを行っている最中に、当該通話をパケット交換システムで行う旨のメッセージを相手側から受信すると、前記回線交換システムを介した呼び出しを中止して、パケット交換システムを介して当該通話を再開するように制御するので、パケット交換システムを利用した通話を再開するまでの時間を短くすることができる。
【図面の簡単な説明】
【００３９】
【図１】本発明の無線通信端末としての携帯電話端末の概略構成を示す機能ブロック図である。
【図２】第１の実施の形態に係る着信側の無線通信端末の動作を説明するフローチャートである。
【図３】無線通信端末とｃｄｍａ２０００  １ｘシステムとｃｄｍａ２０００  １ｘＥＶ−ＤＯシステムとＩＰＶＴ電話サーバとの間の動作を説明するシーケンス図である。
【図４】第２の実施の形態に係る発信側の無線通信端末の動作を説明するフローチャートである。
【図５】無線通信端末とｃｄｍａ２０００  １ｘシステムとｃｄｍａ２０００  １ｘＥＶ−ＤＯシステムとＩＰＶＴ電話サーバとの間の動作を説明するシーケンス図である。
【図６】第３の実施の形態に係る着信側の無線通信端末の動作を説明するフローチャートである。
【図７】無線通信端末とｃｄｍａ２０００  １ｘシステムとｃｄｍａ２０００  １ｘＥＶ−ＤＯシステムとＩＰＶＴ電話サーバとの間の動作を説明するシーケンス図である。
【図８】第４の実施の形態に係る発信側の無線通信端末の動作を説明するフローチャートである。
【図９】無線通信端末とｃｄｍａ２０００  １ｘシステムとｃｄｍａ２０００  １ｘＥＶ−ＤＯシステムとＩＰＶＴ電話サーバとの間の動作を説明するシーケンス図である。
【図１０】無線通信端末の表示部の画面遷移を示す図である。
【図１１】ＢＹＥメッセージで切換通知ができることを説明する図である。
【符号の説明】
【００４０】
１  送受信部
２  受信部
３  制御部
４  電波状態判断部
５  タイマ
１０  表示部
１１  入力部
１２  マイク
１３  スピーカ
【図１】
2008211596.tif 000003
【図２】
2008211596.tif 000004
【図３】
2008211596.tif 000005
【図４】
2008211596.tif 000006
【図５】
2008211596.tif 000007
【図６】
2008211596.tif 000008
【図７】
2008211596.tif 000009
【図８】
2008211596.tif 000010
【図９】
2008211596.tif 000011
【図１０】
2008211596.tif 000012
【図１１】
2008211596.tif 000013